(57)【要約】【課題】空気噴射ノズルと該ノズルに一端が対峙する貫通孔部材とを備える流体噴射式織機の緯糸張力付与装置において、貫通孔部材を工夫することにより、空気噴射ノズルからの空気噴射圧力を従来よりも弱めても、緯糸を強く牽引できるようにすることである。【解決手段】空気噴射ノズル８と該ノズルに一端が対峙する貫通孔部材１０とを備える流体噴射式織機の緯糸張力付与装置において、貫通孔部材はその側壁に外気との連通口１３を、少なくとも一つ以上有することを特徴とする。連通口は、捕捉された緯糸の先端到達位置よりも上流側に設ける。連通口は、貫通孔部材の空気流路の上流側１／４から上流側５／６間に設ける。連通口は孔である。【選択図】      図１
2004190200.tif 000002
【特許請求の範囲】
【請求項１】
空気噴射ノズル（８）と該ノズルに一端が対峙する貫通孔部材（１０）とを備える流体噴射式織機の緯糸張力付与装置において、
貫通孔部材（１０）はその側壁に外気との連通口（１３）を、少なくとも一つ以上有することを特徴とする流体噴射式織機の緯糸張力付与装置。
【請求項２】
連通口（１３）は、捕捉された緯糸（１６）の先端到達位置よりも上流側に設けてあることを特徴とする請求項１記載の流体噴射式織機の緯糸張力付与装置。
【請求項３】
連通口（１３）は、貫通孔部材（１０）の空気流路の上流側１／４から上流側５／６間に設けてあることを特徴とする請求項１又は２記載の流体噴射式織機の緯糸張力付与装置。
【請求項４】
連通口（１３）は、孔であることを特徴とする請求項１、２、又は３記載の流体噴射式織機の緯糸張力付与装置。
【発明の詳細な説明】
【０００１】
【発明の属する技術分野】
本発明は、流体噴射式織機の緯糸張力付与装置に関する。
【０００２】
【従来の技術】
流体噴射式織機の緯糸張力付与装置としては、緯糸到着側（反給糸側）に圧縮空気噴射ノズルと捕捉パイプ（本発明の貫通孔部材に相当する）を緯糸飛走路を挟んで対向配置し、圧縮空気噴射ノズルからの空気噴射によって捕捉パイプ内に緯糸を捕捉するものが知られている。（例えば、特許文献１参照。）
【０００３】
【特許文献１】
特許第２９５６８２８号公報（第1頁、第１図）
【０００４】
【発明が解決しようとする課題】
上述した従来の装置は、捕捉パイプが単なる筒形に形成されており、その筒形の捕捉パイプ内に緯糸を強く牽引するには、空気噴射ノズルからの空気噴射圧力を強めればよいが、そうすると強めた分だけ空気消費量が増し、製織コストが高くなる。そこで、本発明の解決課題は、捕捉パイプを工夫することにより、空気噴射ノズルからの空気噴射圧力を従来よりも高めることなく、緯糸を強く牽引できるようにすることである。
【０００５】
【課題を解決するための手段】
請求項１記載の発明は、空気噴射ノズルと該ノズルに一端が対峙する貫通孔部材とを備える流体噴射式織機の緯糸張力付与装置において、貫通孔部材はその側壁に外気との連通口を、少なくとも一つ以上有することを特徴とする。
【０００６】
空気噴射ノズルから貫通孔部材の一端に向かって圧縮空気が噴射されると、噴射空気は貫通孔部材内に流入し、該貫通孔部材内に一端から他端に向かう空気流が生じる。そのため貫通孔部材内は負圧となって外気が吸引され一端から貫通孔部材内に流入する。緯糸は、空気噴射ノズルからの空気流により吹き込まれたり、外気と共に吸引されて、一端から貫通孔部材内に挿入され、空気流により牽引されて捕捉され、張力が付与される。貫通孔部材内は空気流によって外気よりも負圧となるが、側壁に外気との連通口を有するので連通口からも外気が流入し、貫通孔部材内の空気流が増大する。よって、緯糸は空気流によって強く牽引され、高張力を付与される。
貫通孔部材の断面形状は、内周面及び外周面の何れも特に限定されず、一例としては円、楕円、矩形等が挙げられる。また、内周面と外周面の形状は必ずしも一致しなくても良い。一例としては、矩形断面部材にドリル加工により円形の内周面を形成して、貫通孔部材とすることが挙げられる。さらに、貫通孔部材は、全長に亘って同一断面形状でなくても良い。一例としては、上流側が円形で、下流側が押し潰された楕円とすることが挙げられる。
【０００７】
連通口は、捕捉された緯糸の先端到達位置よりも下流側に設けても良いが、緯糸の牽引力を増大するには、請求項２記載の発明のように、連通口は、捕捉された緯糸の先端到達位置よりも上流側に設けることが望ましい。このようにすれば、連通口からの空気流が緯糸に接触して牽引するので、緯糸牽引力がより増大する。
【０００８】
また、連通口を上流端近傍に設けると、空気流の大きい範囲が長くなり、貫通孔部材の流路抵抗が増大するので、空気流はあまり増大せず、その結果、牽引力はあまり増大しない。連通口を下流端近傍に設けると、空気流は増大するものの、連通口からの空気流の牽引距離が短くなり、同様に牽引力はあまり増大しない。従って、牽引力を増大するには請求項３記載の発明のように、連通口は、貫通孔部材の空気流路の上流側１／４から上流側５／６間に設けることが望ましい。
【０００９】
連通口の形状は限定されないが、貫通孔部材に連通口を形成する容易さを考慮すると、請求項４記載の発明のように、連通口は、孔であることが望ましい。孔であれば、ドリル加工などにより容易に形成できるほか、貫通孔部材となる前の板状素材の段階でのプレス加工等により、円の他、楕円、矩形等の多彩な形状に形成できる。
【００１０】
【発明の実施の形態】
流体噴射式織機は図１から図３に示すように、サブノズル１を織幅方向に沿って複数配置し、反給糸側の織布端２の外側には緯糸検知用のフィーラー３を、更にその外側には緯糸張力付与装置４を配置してある。
【００１１】
サブノズル１は筬取付用のリードホルダ５にサブノズルホルダ６を介して固定され、フィーラー３も同様にリードホルダ５にフィーラーホルダ７を介して固定されている。
【００１２】
緯糸張力付与装置４の第一例は、空気噴射ノズル８のノズル口９と貫通孔部材１０の一端を、筬１１の緯糸案内溝１２内（緯糸飛走路）を挟んで対向配置し、貫通孔部材１０の側壁には外気と通じる複数の連通口１３を、緯糸先端１４の到達位置よりも上流側で且つ空気流路の上流側１／４から上流側５／６間に設けたことを特徴とする。また、緯糸張力付与装置４は空気噴射ノズル８及び貫通孔部材１０を織幅方向に移動可能に設け、空気噴射ノズル８に隣接してその反給糸側には緯糸遮蔽板１５を着脱可能に設けてある。緯糸遮蔽板１５は、緯糸１６の飛走を遮断して緯糸１６の端部を弛んだ状態で貫通孔部材１０の一端近傍に留め、貫通孔部材１０に導きやすくする役割を果たすが、織物種によっては取り外して使用しない。
【００１３】
空気噴射ノズル８は、図示しない圧力空気源に接続してあると共に、リードホルダ５の織幅方向に沿って移動可能なノズルホルダ１７に取り付けてある。リードホルダ５の前面側（図２では左側）に口部が狭い嵌合溝１８が形成され、ノズルホルダ１７からはボルト軸１９が突出し、ボルト軸１９の先部に有するスライダ２０が嵌合溝１８に嵌め込まれ、ノズルホルダ１７の前面側からナット２１をボルト軸１９に締結することによって嵌合溝１８の口部とノズルホルダ１７が挟持され、ノズルホルダ１７がリードホルダ５に固定される。また、リードホルダ５の上面の凹溝２２内に筬１１の下部がリードグリッパ２３と共に収容され、リードグリッパ２３で筬１１を固定してある。なお、筬１１は、多数枚の筬羽２４を間隔をあけて並列し、その上下左右端部を筬枠２５で取り囲んで保持し、並列する筬羽２４の前面側に緯糸案内溝１２を形成したものである。
【００１４】
貫通孔部材１０を構成する捕捉パイプ２８は、筬１１の上側筬枠２５に固定される捕捉パイプホルダ２６に取り付けてあり、捕捉パイプホルダ２６は、ボルト２７の先端を上側筬枠２５に押し付けることによって固定され、捕捉パイプ２８の織幅方向の位置決めがされる。
【００１５】
図３に示すように捕捉パイプ２８は、上流側端部を湾曲して下流側が織幅方向の外側に向かって延在しており、その側壁に複数の連通口１３を、噴射空気の進行方向に間隔をあけて上下に対称的に設けてある。連通口１３は、図面では円形の孔であるが、楕円、矩形などの他形状であっても良い。また、補足パイプ２８も上記湾曲形状に限らず他形状、例えば経糸送り出し側に延びる直管形状であってもよい。
【００１６】
捕捉パイプホルダ２６は、上側筬枠２５を覆う逆Ｊ字状の板であり、上側筬枠２５の前面から上端面を経て筬１１の背面の緯糸案内溝１２の高さまで垂下すると共に、抜穴２９を有しており、その抜穴２９の前面側に抜穴３１を有するピン固定板３０を、背面側に捕捉パイプ２８の一端を溶接等により接合する。ピン固定板３０には、抜穴３１の上下にそれぞれピン３２が設けられ、それらのピン３２が筬羽２４間に挿入されて、筬羽２４の間隔を押し広げ、空気噴射ノズル８のノズル口９からの噴射空気流の通過空間を形成している。従って、貫通孔部材１０は、捕捉パイプ２８と捕捉パイプホルダ２６とピン固定板３０と２つのピン３２、およびその間にピン３２が挿入される２つの筬羽２４とから構成される。なお、２つのピン３２と２つの筬羽２４とにより形成される空間が、貫通孔部材１０の一端を形成し、緯糸案内溝１２に開口する。
よって、貫通孔部材１０の一端を形成するその空間と２つの抜穴２９，３１および捕捉パイプ２８とを連通して空気流路が形成される。実施例では、空気流路の長さは、捕捉された緯糸１６の先端１４が捕捉パイプ２８から突出する程度とする。
従って、全ての連通口１３は、緯糸先端到達位置よりも上流側に位置すると共に、図３に示すように貫通孔部材１０の空気流路の上流側１／４から上流側５／６間に設けられている。
【００１７】
緯糸張力付与装置４の作用は以下の通りである。まず、図示しない緯入れノズルから緯糸１６が緯入れされ、サブノズル１からの空気噴射によって緯糸１６が織布端２の外側まで運ばれ、緯糸張力付与装置４の空気噴射ノズル８から空気噴射され、その空気が貫通孔部材１０に流れ込むことによって緯糸１６を貫通孔部材１０に吹き込んだり、引きこむ。その際に、貫通孔部材１０内は負圧になって連通口１３から外気が流入し、空気流量が増大するので、緯糸を強く牽引することができる。また、フィーラー３と空気噴射ノズル８間に捨耳（図示省略）が形成され、捕捉パイプ２８に引きこまれた緯糸１６は、筬打ち後、捨耳となり、筬１１の後退に伴う捕捉パイプ２８の移動により捕捉パイプ２８から抜け出る。
この実施例では、空気流により捕捉された緯糸１６の先端１４は、貫通孔部材１０の他端から突出しているが、緯糸長さが短いため貫通孔部材１０内に留まっていても良い。連通口１３が空気流路に沿って複数設けてあるので、捕捉された緯糸１６の先端１４が到達した位置よりも上流側の連通口１３から流入した空気流が緯糸１６と接触して牽引するので、緯糸先端１４が到達した位置よりも下流側の連通口１３から流入した空気流は、接触して牽引しないものの同様の効果を得る。
なお、最も効率が良い連通口１３の大きさ、位置、および数は、空気噴射ノズル８に供給される圧縮空気の圧力、空気流路の流路断面積、長さ、および屈曲具合等により決まり、圧縮空気の圧力は緯糸種によって調整されるので、製織条件に応じた試験等により連通口１３のそれらを決定するのが好ましい。
更に、この実施例では、貫通孔部材１０の一端は、筬１１の反給糸側の緯糸案内溝１２に開口しているが、反給糸側の緯糸飛走経路を挟んで空気噴射ノズル８と対峙すれば良く、従って緯糸案内溝１２の反給糸側延長上に開口していても良い。
【００１８】
緯糸張力付与装置４の第一例の変形例は図４に示すように、空気噴射ノズル８のノズル口９が複数（図では上下二つ）設けてあるもので、飛走位置が緯入れ毎に変動する緯糸１６を効率良く貫通孔部材１０に吹き込むことができる。
【００１９】
緯糸張力付与装置４の第二例は図５に示すように、貫通孔部材１０が上流捕捉パイプ３３の他端（下流側の端）に、下流捕捉パイプ３４の一端を対向して設け、両パイプ間の隙間を連通口１３として形成したことを特徴とするものである。
【００２０】
下流捕捉パイプ３４は、捕捉パイプホルダ２６から織幅方向外側に延びる下流パイプホルダ３５によって、織幅方向に移動可能に固定してある。具体的には、下流パイプホルダ３５に織幅方向に長い長孔（図示省略）をあけ、下流捕捉パイプ３４の側壁にナット部材３６を接合し、長孔の所定位置でボルト３７をナット部材３６に締結することで位置決めする。上流捕捉パイプ３３の他端と下流捕捉パイプ３４の一端が図示したように明確に離れる状態に位置決めされると、パイプの全周に亘って連通口１３が形成される。また図示しないが、上流捕捉パイプ３３の他端と下流捕捉パイプ３４の一端が接触する状態に位置決めされた場合でも、一方の端面に切り欠き等を設けることにより端面間に隙間を生じ、パイプの全周の一部に連通口１３が形成される。
【００２１】
緯糸張力付与装置４の第三例は図６に示すように、上流捕捉パイプ３３の下流側端部に、その外側を囲む下流捕捉パイプ３４を挿入し、ボルト３８の締結で固定すると共に、上流捕捉パイプ３３の下流側端部と下流捕捉パイプ３４の上流側端部との間に連通口１３となる隙間を形成したことを特徴とする。
【００２２】
ここでは、上流捕捉パイプ３３が断面円形であるのに対し、下流捕捉パイプ３４は内側面が上流捕捉パイプ３３の外側面よりも大きな断面四角形である。従って、下流捕捉パイプ３４の内側の四隅部分がそれぞれ連通口１３となる。上流捕捉パイプ３３の外側面と下流捕捉パイプ３４の内側面は、この実施例のように互いに異なる形状であっても良いが、下流捕捉パイプ３４の内側面が上流捕捉パイプ３３の外側面よりも大きければ、円同士や四角形同士のように互いに同一形状としても良く、その場合には、周の少なくとも一部に内側面と外側面からなる隙間が生じて連通口１３が形成される。
【００２３】
緯糸張力付与装置４の第四例は図７に示すように、捕捉パイプ２８の他端に栓３９を詰めると共に、その側壁の栓近傍に空気流出口４０をあけることにより、貫通孔部材１０を形成したことを特徴とする。空気流出口４０は、連通口１３よりも大きく形成してある。
【００２４】
【発明の効果】
本発明は、貫通孔部材の連通口によって、貫通孔部材内の空気流量を増大するので、緯糸の牽引力が強くなる。そして、緯糸の牽引が必要以上に強くなれば、空気噴射ノズルからの空気噴射圧力を弱めることも可能となり、空気消費量が減少し、製織コストを抑えることもできる。また、連通口の位置を特定することにより、緯糸の牽引力をより増大できる。さらに、連通口を孔とすることにより、連通口の形成が容易となる。
【図面の簡単な説明】
【図１】緯糸張力付与装置の第一例の取付状態を示す正面図である。
【図２】図１の右側面図である。
【図３】図１のＰ方向から視た図である。
【図４】緯糸張力付与装置の第一例の変形例を示す側面図である。
【図５】緯糸張力付与装置の第二例を示す平面図である。
【図６】（イ）（ロ）緯糸張力付与装置の第三例を示す平面図、右側面図である。
【図７】（イ）（ロ）緯糸張力付与装置の第四例を示す側面図、貫通孔部材の下面図である。
【符号の説明】
８  空気噴射ノズル
１０  貫通孔部材
１３  連通口
１６  緯糸
【図１】
2004190200.tif 000003
【図２】
2004190200.tif 000004
【図３】
2004190200.tif 000005
【図４】
2004190200.tif 000006
【図５】
2004190200.tif 000007
【図６】
2004190200.tif 000008
【図７】
2004190200.tif 000009